(57)【要約】      （修正有）【課題】ロータの回転むらを抑制できるステータ及びそれを用いたモータ、送風機を提供する。【解決手段】同一相のコイルを並列に接続した多相モータのステータであって、環状のコアバックと、コアバックから径方向に延びて周方向に複数配置されるティースＴ１〜Ｔ９と、隣接するティースの間に形成されるスロット７３と、ティースに巻かれてコイルを形成する導線を有する。同一相の複数のコイルの一端及び他端がそれぞれ接続される第１接続部７４Ｕ及び第２接続部７５Ｕと、を備え、導線は、コイルと第１接続部又は第２接続部との間に配される１又は２の渡り線８３ａ，８３ｂを有し、同一相の全てのコイルに対して少なくとも１つの渡り線が、第１接続部から第２接続部に向かって同一周方向に延びる。【選択図】図６
2019115165.tif 000002
【特許請求の範囲】
【請求項１】
同一相のコイルを並列に接続した多相モータのステータであって、
環状のコアバックと、
前記コアバックから径方向に延びて周方向に複数配置されるティースと、
隣接する前記ティースの間に形成されるスロットと、
前記ティースに巻かれて前記コイルを形成する導線と、
同一相の複数の前記コイルの一端及び他端がそれぞれ接続される第１接続部及び第２接続部と、を備え、
前記導線は、前記コイルと前記第１接続部又は前記第２接続部との間に配される１又は２の渡り線を有し、
同一相の全ての前記コイルに対して少なくとも１つの前記渡り線が、前記第１接続部から前記第２接続部に向かって同一周方向に延びる、ステータ。
【請求項２】
前記第１接続部と前記第２接続部との間に配される前記渡り線が周方向の遠い方を通る、請求項１に記載のステータ。
【請求項３】
周方向に隣接する前記コイルは、相が異なる、請求項１又は請求項２に記載のステータ。
【請求項４】
前記コイルは、３相交流の各相の電流が流れ、
同一相の３個の前記コイルが、並列接続された、請求項１〜請求項３のいずれかに記載のステータ。
【請求項５】
前記コイルが、デルタ結線により接続された、請求項１〜請求項４のいずれかに記載のステータ。
【請求項６】
前記導線は、前記第１接続部と前記第２接続部との間に配されて前記ティースに半周以上１周未満巻かれた第１巻部を有し、
前記第１巻部は、並列接続された同一相の前記コイルと同じ前記ティースに配置される、請求項１〜請求項５のいずれかに記載のステータ。
【請求項７】
並列接続された同一相の前記導線は、同一の前記スロットから引出される、請求項１〜請求項６のいずれかに記載のステータ。
【請求項８】
前記第１接続部及び前記第２接続部が、前記スロットの径方向内側に配置される、請求項１〜請求項７のいずれかに記載のステータ。
【請求項９】
前記渡り線は、前記ティースの軸方向一方側に配置され、前記第１接続部及び前記第２接続部は前記ティースの軸方向他方側に配置される、請求項１〜請求項８のいずれかに記載のステータ。
【請求項１０】
前記ティースは、前記コアバックから径方向外側に延びる、請求項１〜請求項９のいずれかに記載のステータ。
【請求項１１】
請求項１〜請求項１０のいずれかに記載のステータと、前記ステータと径方向に対向して中心軸を中心に回転するロータと、を備える、モータ。
【請求項１２】
請求項１１に記載のモータと、前記ロータに固定されて中心軸周りに回転するインペラと、を備える送風機。
【発明の詳細な説明】
【技術分野】
【０００１】
本発明は、ステータ、モータ及び送風機に関する。
【背景技術】
【０００２】
従来のステータは特許文献１に開示されている。このステータは環状のコアバックと、コアバックから径方向に延びて周方向に複数配置されるティースと、隣接するティースの間に形成されるスロットと、ティースに巻かれてコイルを形成する導線とを備える。
【０００３】
複数のコイルは直列に接続され、導線の両端はそれぞれ異なるスロットからステータの外部に引き出される。また、導線の一端からコイルに向かう渡り線とコイルから導線の他端に戻る渡り線とが同一経路に配置される。
【先行技術文献】
【特許文献】
【０００４】
【特許文献１】特開２０００−１８８８３９号公報
【発明の概要】
【発明が解決しようとする課題】
【０００５】
しかしながら、上記特許文献に開示されたステータによると、導線に駆動電流が流れた際に、コイルに流れる電流の向きとコイルから戻る渡り線に流れる電流の向きとが異なる。このため、コイルから戻る渡り線から発生する磁界によってコイルのインダクタンスが変化し、ロータの回転むらが発生する問題があった。
【０００６】
本発明は、ロータの回転むらを抑制できるステータ及びそれを用いたモータ、送風機を提供することを目的とする。
【課題を解決するための手段】
【０００７】
本発明の例示的なステータは、同一相のコイルを並列に接続した多相モータのステータであって、環状のコアバックと、前記コアバックから径方向に延びて周方向に複数配置されるティースと、隣接する前記ティースの間に形成されるスロットと、前記ティースに巻かれて前記コイルを形成する導線と、同一相の複数の前記コイルの一端及び他端がそれぞれ接続される第１接続部及び第２接続部と、を備え、前記導線は、前記コイルと前記第１接続部又は前記第２接続部との間に配される１又は２の渡り線を有し、同一相の全ての前記コイルに対して少なくとも１つの前記渡り線が、前記第１接続部から前記第２接続部に向かって同一周方向に延びる。
【発明の効果】
【０００８】
例示的な本発明によれば、ロータの回転むらを抑制できるステータ、モータ及び送風機を提供することができる。
【図面の簡単な説明】
【０００９】
【図１】図１は、本発明の第１実施形態に係る送風機の斜視図である。
【図２】図２は、本発明の第１実施形態に係る送風機の分解斜視図である。
【図３】図３は、本発明の第１実施形態に係る送風機のモータの一部を示す斜視図である。
【図４】図４は、本発明の第１実施形態に係る送風機のモータの一部を示す上面図である。
【図５】図５は、本発明の第１実施形態に係る送風機のコイルの結線図の一例である。
【図６】図６は、本発明の第１実施形態に係る送風機の導線の巻きパターンを示す説明図である。
【図７】図７は、本発明の第１実施形態に係る送風機の導線の巻きパターンを示す説明図である。
【図８】図８は、本発明の第１実施形態に係る送風機の導線の巻きパターンを示す説明図である。
【図９】図９は、本発明の第１実施形態に係る送風機の導線の巻きパターンを示す説明図である。
【図１０】図１０は、本発明の第１実施形態に係る送風機の導線の巻きパターンを示す説明図である。
【図１１】図１１は、本発明の第１実施形態に係る送風機の導線の巻きパターンを示す説明図である。
【図１２】図１２は、本発明の第１実施形態に係る送風機の導線の巻きパターンを示す説明図である。
【図１３】図１３は、本発明の第１実施形態に係る送風機の導線の巻きパターンを示す説明図である。
【図１４】図１４は、本発明の第１実施形態に係る送風機の導線の巻きパターンを示す説明図である。
【図１５】図１５は、本発明の第２実施形態に係る送風機の導線の巻きパターンを示す説明図である。
【図１６】図１６は、本発明の第２実施形態に係る送風機の導線の巻きパターンを示す説明図である。
【図１７】図１７は、本発明の第２実施形態に係る送風機の導線の巻きパターンを示す説明図である。
【図１８】図１８は、本発明の第２実施形態に係る送風機の導線の巻きパターンを示す説明図である。
【図１９】図１９は、本発明の第２実施形態に係る送風機の導線の巻きパターンを示す説明図である。
【図２０】図２０は、本発明の第２実施形態に係る送風機の導線の巻きパターンを示す説明図である。
【図２１】図２１は、本発明の第２実施形態に係る送風機の導線の巻きパターンを示す説明図である。
【図２２】図２２は、本発明の第２実施形態に係る送風機の導線の巻きパターンを示す説明図である。
【図２３】図２３は、本発明の第２実施形態に係る送風機の導線の巻きパターンを示す説明図である。
【発明を実施するための形態】
【００１０】
以下、本発明の例示的な実施形態について、図面を参照しながら詳細に説明する。なお、本明細書では、モータの中心軸と平行な方向を「軸方向」、モータの中心軸に直交する方向を「径方向」、モータの中心軸を中心とする円弧に沿う方向を「周方向」、とそれぞれ称する。また、本願では、軸方向を上下方向とし、モータに対してインペラ側を上として、各部の形状や位置関係を説明する。なお、上下方向は単に説明のための用いられる名称であって、実際の位置関係及び方向を限定しない。
【００１１】
（１．送風機の構成）
本発明の例示的な一実施形態の送風機について説明する。図１、図２は本発明の実施形態に係る送風機１の斜視図及び分解斜視図である。
【００１２】
送風機１は筐体２、インペラ１０及びモータ５０を有し、インペラ１０及びモータ５０は筐体２の内部空間に収容される。モータ５０はインペラ１０の下側に位置し、中心軸Ｊ周りにインペラ１０を回転させる。
【００１３】
筐体２は筒状に形成され、底壁２１と周壁２２とを有する。底壁２１にはモータ５０が取り付けられ、底壁２１の周縁から軸方向上側に周壁２２が延びる。周壁２２の上面は吹出口２２ａが開口し、底壁２１には吸込口（不図示）が開口する。底壁２１にはモータ５０が取り付けられる。
【００１４】
（２．インペラの構成）
インペラ１０はカップ部１１と羽根１２とを有する。カップ部１１は有蓋筒状に形成され、内部にはモータ５０が配置される。カップ部１１の中心（中心軸Ｊ上）は挿通孔１１ａが開口している。モータ５０のシャフト６１（図３参照）に連結された軸部５０ａは挿通孔１１ａに挿通される。なお、軸部５０ａは後述するロータホルダ６２と固定され、ロータホルダ６２はカップ部１１の内部に固定される。これにより、インペラ１０とモータ５０とが連結され、インペラ１０は中心軸Ｊを中心として回転可能に支持される。
【００１５】
羽根１２はカップ部１１の外周面から径方向外側に延びて周方向に所定間隔で複数配置される。モータ５０の駆動によりインペラ１０が回転し、吸込口から筐体２内に流入した気流が吹出口２２ａから吹出される。
【００１６】
（３．モータの構成）
図３及び図４はモータ５０の一部を示す斜視図、上面図である。モータ５０はロータ６０（図２参照）及びステータ７０を有している。
【００１７】
（４．ロータの構成）
ロータ６０は中心軸Ｊに沿って延びた回転軸を形成する柱状のシャフト６１、ロータホルダ６２（図２参照）及びロータマグネット（不図示）を備える。シャフト６１はベアリング（不図示）によって、中心軸Ｊ周りに回転可能に支持される。ロータホルダ６２は有蓋円筒状であり、カップ部１１の内部に固定される。ロータマグネットはロータホルダ６２の内周面に固定され、ステータ７０の径方向外側に対向して配置される。
【００１８】
モータ５０の駆動時には、ステータ７０とロータマグネットとの間にてトルクが発生する。なお、モータ５０はアウターロータ型モータでもインナーロータ型モータでもよい。
【００１９】
（５．ステータの構成）
ステータ７０はロータ６０と径方向に対向して配置される。ステータ７０はコアバック７１、ティースＴ、コイルＣを有する。
【００２０】
コアバック７１は中心軸Ｊの周りに環状に形成され、積層鋼板から成る。ティースＴはコアバック７１から径方向外側に延びて周方向に等間隔に配置される。これにより、アウターロータ型モータ用のステータ７０が形成され、ロータ６０の回転ムラを抑制し、ロータ６０の振動を低減するモータ５０を提供することができる。
【００２１】
コイルＣはインシュレータ７２を介してティースＴに導線Ｌ（図６〜図８参照）が巻回されて形成される。以下の説明において、周方向に配置されるティースに符号Ｔ１〜Ｔ９を付して説明する。また、ティースＴ１〜Ｔ９に対応する位置に配置されるコイルに符号Ｃ１〜Ｃ９を付して説明する。また、コイルＣ１〜Ｃ９を形成する各導線に対して符号Ｌ１〜Ｌ９を付して説明する。
【００２２】
隣接するティースＴ１〜Ｔ９の間には空間から成るスロット７３が形成される。例えば、ティースＴ２とＴ３の間、ティースＴ３とＴ４の間、ティースＴ５とＴ６の間、ティースＴ６とＴ７の間、ティースＴ８とＴ９及びティースＴ９とＴ１との間のスロット７３には軸方向に延びる端子ピン７６が設けられている。端子ピン７６の上端及び下端はコアバック７１から軸方向に突出しており、端子ピン７６の下端は実装基板５１（図２参照）に実装される。
【００２３】
また、端子ピン７６の上端部は後述する第１接続部７４Ｕ、７４Ｖ、７４Ｗ及び第２接続部７５Ｕ、７５Ｖ、７５Ｗとそれぞれ接続される。
【００２４】
（６．コイルの結線構造）
図５はコイルＣ１〜Ｃ９の結線図の一例を示している。コイルＣ１〜Ｃ９は３相の交流電流に対応するＵ相群９０Ｕ、Ｖ相群９０Ｖ、Ｗ相群９０Ｗの３種類のコイル群に分けられる。Ｕ相群９０Ｕ、Ｖ相群９０Ｖ、Ｗ相群９０Ｗはデルタ結線により接続されている。
【００２５】
また、Ｕ相群９０Ｕは、コイルＣ１、Ｃ４、Ｃ７で構成される。Ｖ相群９０Ｖは、コイルＣ２、Ｃ５、Ｃ８で構成される。Ｗ相群９０Ｗは、コイルＣ３、Ｃ６、Ｃ９で構成される。コイルＣ１〜Ｃ９はＵ相、Ｖ相、Ｗ相の順に周方向に配置されており、同一相のコイルは周方向に隣接しない（図４参照）。周方向に隣接するコイルＣの相が異なることにより、ロータ６０の回転ムラを抑制し、ロータ６０の振動を低減することができる。
【００２６】
Ｕ相群９０ＵのコイルＣ１、Ｃ４、Ｃ７は並列接続される。コイルＣ１、Ｃ４、Ｃ７の一端は第１接続部７４Ｕで接続され、他端は第２接続部７５Ｕで接続される。第１接続部７４ＵはティースＴ５とＴ６の間に配される端子ピン７６の上端部に接続される。第２接続部７５ＵはティースＴ８とＴ９の間に配される端子ピン７６の上端部に接続される（図４参照）。
【００２７】
また、Ｖ相群９０ＶのコイルＣ２、Ｃ５、Ｃ８は並列接続される。コイルＣ２、Ｃ５、Ｃ８の一端は第１接続部７４Ｖで接続され、他端は第２接続部７５Ｖで接続される。第１接続部７４ＶはティースＴ９とＴ１の間に配される端子ピン７６の上端部に接続される。第２接続部７５ＶはティースＴ３とＴ４の間に配される端子ピン７６の上端部に接続される（図４参照）。
【００２８】
また、Ｗ相群９０ＷのコイルＣ３、Ｃ６、Ｃ９は並列接続される。コイルＣ３、Ｃ６、Ｃ９の一端は第１接続部７４Ｗで接続され、他端は第２接続部７５Ｗで接続される。第１接続部７４ＷはティースＴ２とＴ３の間に配される端子ピン７６の上端部に接続される。第２接続部７５ＷはティースＴ６とＴ７の間に配される端子ピン７６の上端部に接続される（図４参照）。
【００２９】
同一相の３個のコイルＣ１、Ｃ４、Ｃ７、コイルＣ２、Ｃ５、Ｃ８及びコイルＣ３、Ｃ６、Ｃ９をそれぞれ並列接続することにより、同一相の３個のコイルを直列接続した場合と比較して各コイル群の抵抗値を小さくすることができ、モータ５０の効率性及び出力を向上することができる。
【００３０】
同一相の３個のコイルＣが並列接続されたコイル群をデルタ結線により接続することにより、Ｙ結線により接続した場合と比較して各コイル群の抵抗値を小さくすることができる。また、Ｙ結線により接続する際に行うコモン線をまとめる作業が必要ないため、結線作業性が向上し、生産性も向上する。
【００３１】
（７．導線の巻きパターンの構成）
図６〜図１４はＵ相群９０Ｕ、Ｖ相群９０Ｖ、Ｗ相群９０Ｗを構成する導線の巻きパターンをそれぞれ示す説明図である。図６〜図１４において、周方向に並設されるティースＴ１〜Ｔ９を直線状に展開して径方向外側から中心軸Ｊの方向を見た状態を示す。
【００３２】
コイルＣを構成する導線Ｌは、それぞれ第１巻部８２、第１渡り線８３ａ、第２渡り線８３ｂ、第１引出線８４ａ及び第２引出線８４ｂを有する。コイルＣは径方向外側から中心軸Ｊの方向を見た場合に、導線ＬがティースＴに例えば、時計回りに複数回巻回されて形成される。
【００３３】
なお、コイルＣは導線ＬがティースＴの径方向内端部から径方向外側に向かって巻かれた後、再び径方向内端部に向かって巻かれる。また、導線ＬがティースＴの径方向内側と径方向外側とを往復して径方向内端部近傍において巻き終わり、コイルＣが形成される。
【００３４】
第１引出線８４ａは導線Ｌの一端側に配置され、第１引出線８４ａの上端部は第１接続部７４Ｕ、７４Ｖ、７４Ｗのいずれかに接続される。第１引出線８４ａは軸方向上側からスロット７３を通ってティースＴの下面側に向かって軸方向下側に延びる。
【００３５】
第２引出線８４ｂは導線Ｌの他端側に配置され、第２引出線８４ｂの上端部は第２接続部７５Ｕ、７５Ｖ、７５Ｗのいずれかに接続される。第２引出線８４ｂはティースＴの下面側からスロット７３を通って軸方向上側に延びる。
【００３６】
また、並列接続された同一相の導線Ｌは、第１引出線８４ａ及び第２引出線８４ｂによってそれぞれ同一のスロット７３から引出される。これにより、並列接続された導線Ｌをまとめて結線作業性をより向上することができる。
【００３７】
第１渡り線８３ａはコイルＣと第１接続部７４Ｕ、７４Ｖ、７４Ｗとの間に配され、第２渡り線８３ｂはコイルＣと第２接続部７５Ｕ、７５Ｖ、７５Ｗとの間に配置される。なお、第１引出線８４ａ及び第２引出線８４ｂの下端から導線ＬがティースＴに巻回され、第１引出線８４ａ及び第２引出線８４ｂとコイルＣとが隣接する場合、第１渡り線８３ａ又は第２渡り線８３ｂは設けられない。例えば、図１２において、第１引出線８４ａとコイルＣ３とは隣接しており、第１引出線８４ａが設けられていない。すなわち、導線Ｌは、コイルＣと第１接続部７４Ｕ、７４Ｖ、７４Ｗ又は第２接続部７５Ｕ、７５Ｖ、７５Ｗとの間に配される１又は２の渡り線を有する。
【００３８】
また、同一相の全てのコイルＣに対して少なくとも第１渡り線８３ａ又は第２渡り線８３ｂが、第１接続部７４Ｕ、７４Ｖ、７４Ｗから第２接続部７５Ｕ、７５Ｖ、７５Ｗに向かって同一周方向に延びる。これにより、第１渡り線８３ａ又は第２渡り線８３ｂで発生する磁界によってコイルＣのインダクタンスが変化することを低減することができる。従って、ロータ６０の回転ムラを抑制することができる。
【００３９】
また、第１渡り線８３ａ及び第２渡り線８３ｂはティースＴの下面側を周方向に延びる。すなわち、第１渡り線８３ａ及び第２渡り線８３ｂは、ティースＴの軸方向一方側に配置され、第１接続部７４Ｕ、７４Ｖ、７４Ｗ及び第２接続部７５Ｕ、７５Ｖ、７５ＷはティースＴの軸方向他方側に配置される。
【００４０】
これにより、第１接続部７４Ｕ、７４Ｖ、７４Ｗ及び第２接続部７５Ｕ、７５Ｖ、７５Ｗを端子ピン７６に例えば、半田付けして接続する際に、第１渡り線８３ａ及び第２渡り線８３ｂが邪魔にならず、作業性が向上する。一方、第１渡り線８３ａ及び第２渡り線８３ｂを周方向に延ばす際に第１接続部７４Ｕ、７４Ｖ、７４Ｗ及び第２接続部７５Ｕ、７５Ｖ、７５Ｗが邪魔にならずに導線Ｌの巻回作業性が向上する。
【００４１】
第１巻部８２は第１渡り線８３ａ又は第２渡り線８３ｂを中継し、周方向に延びる第１渡り線８３ａ又は第２渡り線８３ｂのゆるみを抑制することができる。
【００４２】
第１巻部８２は径方向外側から中心軸Ｊの方向を見た場合に、導線ＬがティースＴに時計回りに半周以上１周未満巻回されて形成される。具体的には、ティースＴの下面側からスロット７３を通って軸方向上側に延び、１個のティースＴの上面を周方向に延びて隣接するスロット７３から軸方向下側に延びる。
【００４３】
導線ＬをティースＴに半周巻回された第１巻部８２は、同一相のコイルＣが配置されるティースＴに配置される。これにより、第１渡り線８３ａ又は第２渡り線８３ｂの中間近傍に第１巻部８２が配置されて第１渡り線８３ａ又は第２渡り線８３ｂのゆるみをより抑制することができる。
【００４４】
また、第１巻部８２はコイルＣの巻回方向と同じ方向に巻回されている。これにより、第１巻部８２がコイルＣの磁界を打ち消すことを抑制することができる。
【００４５】
なお、第１巻部８２はコイルＣのインダクタンスへの影響が軽微であれば、ティースＴに導線Ｌを１周以上巻回して形成してもよい。この時、第１渡り線８３ａ又は第２渡り線８３ｂのゆるみをより抑制することができる。
【００４６】
また、第１巻部８２は同一相のコイルＣが配置されるティースＴに配置される。これにより、第１渡り線８３ａ又は第２渡り線８３ｂの中間近傍に第１巻部８２が配置されて第１渡り線８３ａ又は第２渡り線８３ｂのゆるみをより抑制することができる。
【００４７】
以下の説明において、コイルＣ１〜Ｃ９を形成する各導線Ｌ１〜Ｌ９の巻きパターンについて具体的に説明する。図６〜図８に示すように、Ｕ相群９０ＵのコイルＣ１、Ｃ４、Ｃ７を構成する導線Ｌ１、Ｌ４、Ｌ７は第１引出線８４ａがティースＴ５とティースＴ６との間のスロット７３を通ってティースＴ５の下面側に延びる。
【００４８】
また、導線Ｌ１、Ｌ４の第２引出線８４ｂはティースＴ９の下面側からティースＴ８とティースＴ９との間のスロット７３を通って軸方向上側に延びる。また、導線Ｌ７の第２引出線８４ｂはティースＴ８の下面側からティースＴ８とティースＴ９との間のスロット７３を通って軸方向上側に延びる。
【００４９】
また、第１引出線８４ａと第２引出線８４ｂとの間に配される導線Ｌ１、Ｌ４、Ｌ７は周方向の遠い方を通る。これにより、Ｕ相群９０Ｕにおいて、導線Ｌ１、Ｌ４の第１渡り線８３ａ及び第２渡り線８３ｂと、導線Ｌ７の第１渡り線８３ａとは全て第１接続部７４Ｕから第２接続部７５Ｕに向かって上面視反時計回り方向Ｘ２に延びる。従って、第１渡り線８３ａ又は第２渡り線８３ｂで発生する磁界によってコイルＣ１、Ｃ４、Ｃ７のインダクタンスが変化することを低減することができる。従って、ロータ６０の回転ムラを抑制することができる。
【００５０】
なお、導線Ｌ７の第２渡り線８３ｂは第１接続部７４Ｕから第２接続部７５Ｕに向かって上面視時計回り方向Ｘ１に延びる。しかし、導線Ｌ７の第２渡り線８３ｂは導線Ｌ７の第１渡り線８３ａよりも短く、導線Ｌ７の第２渡り線８３ｂで発生する磁界は導線Ｌ７の第１渡り線８３ａで発生する磁界と比べて小さい。このため、インダクタンスへの影響は無視することができる。
【００５１】
図９〜図１１に示すように、Ｖ相群９０ＶのコイルＣ２、Ｃ５、Ｃ８を構成する導線Ｌ２、Ｌ５、Ｌ８は第１引出線８４ａがティースＴ１とティースＴ９との間のスロット７３を通ってティースＴ９の下面側に延びる。
【００５２】
また、導線Ｌ２の第２引出線８４ｂはティースＴ３の下面側からティースＴ３とティースＴ４との間のスロット７３を通って軸方向上側に延びる。また、導線Ｌ５、Ｌ８の第２引出線８４ｂはティースＴ４の下面側からティースＴ３とティースＴ４との間のスロット７３を通って軸方向上側に延びる。
【００５３】
また、第１引出線８４ａと第２引出線８４ｂとの間に配される導線Ｌ２、Ｌ５、Ｌ８は周方向の遠い方を通る。これにより、Ｖ相群９０Ｖにおいて、導線Ｌ２の第１渡り線８３ａと、導線Ｌ５、Ｌ８の第１渡り線８３ａ及び第２渡り線８３ｂとは全て第１接続部７４Ｖから第２接続部７５Ｖに向かって上面視反時計回り方向Ｘ２に延びる。従って、第１渡り線８３ａ又は第２渡り線８３ｂで発生する磁界によってコイルＣ２、Ｃ５、Ｃ８のインダクタンスが変化することを低減することができる。
【００５４】
なお、導線Ｌ２の第２渡り線８３ｂは第１接続部７４Ｖから第２接続部７５Ｖに向かって上面視時計回り方向Ｘ１に延びる。しかし、導線Ｌ２の第２渡り線８３ｂは導線Ｌ２の第１渡り線８３ａよりも短く、導線Ｌ２の第２渡り線８３ｂで発生する磁界は導線Ｌ２の第１渡り線８３ａで発生する磁界と比べて小さい。このため、インダクタンスへの影響は無視することができる。
【００５５】
図１２〜図１４に示すように、Ｗ相群９０ＷのコイルＣ３を構成する導線Ｌ３は第１引出線８４ａがティースＴ２とティースＴ３との間のスロット７３を通ってティースＴ３の下面側に延びる。その後、導線Ｌ３はティースＴ３に複数回巻回されてコイルＣ３を形成した後、ティースＴ２の下面側に延びる。
【００５６】
また、Ｗ相群９０ＷのコイルＣ６、Ｃ９を構成する導線Ｌ６、Ｌ９は第１引出線８４ａがティースＴ２とティースＴ３との間のスロット７３を通ってティースＴ２の下面側に延びる。
【００５７】
また、導線Ｌ３、Ｌ９の第２引出線８４ｂはティースＴ７の下面側からティースＴ６とティースＴ７との間のスロット７３を通って軸方向上側に延びる。また、導線Ｌ６の第２引出線８４ｂはティースＴ６に複数回巻回されてコイルＣ６を形成した後、ティースＴ６の下面側からティースＴ６とティースＴ７との間のスロット７３を通って軸方向上側に延びる。
【００５８】
また、第１引出線８４ａと第２引出線８４ｂとの間に配される導線Ｌ３、Ｌ６、Ｌ９は周方向の遠い方を通る。これにより、Ｖ相群９０Ｖにおいて、導線Ｌ２の第１渡り線８３ａと、導線Ｌ５、Ｌ８の第１渡り線８３ａ及び第２渡り線８３ｂとは全て第１接続部７４Ｗから第２接続部７５Ｗに向かって上面視反時計回り方向Ｘ２に延びる。従って、第１渡り線８３ａ又は第２渡り線８３ｂで発生する磁界によってコイルＣ３、Ｃ６、Ｃ９のインダクタンスが変化することを低減することができる。
【００５９】
＜第２実施形態＞
次に、本発明の第２実施形態について説明する。図１５〜図２３はＵ相群９０Ｕ、Ｖ相群９０Ｖ、Ｗ相群９０Ｗを構成する導線の巻きパターンをそれぞれ示す説明図である。図１５〜図２３において、周方向に並設されるティースＴ１〜Ｔ９を直線状に展開して径方向外側から中心軸Ｊの方向を見た状態を示す。説明の便宜上、前述の図１〜図１４に示す第１実施形態と同様の部分には同一の符号を付す。第２実施形態では導線の巻パターンが第１実施形態とは異なる。その他の部分は第１実施形態と同様である。
【００６０】
コイルＣ１〜Ｃ９は径方向外側から中心軸Ｊの方向を見た場合に、導線Ｌ１〜Ｌ９がティースＴ１〜Ｔ９に反時計回りに複数周巻回されて形成される。
【００６１】
また、第１巻部８２は径方向外側から中心軸Ｊの方向を見た場合に、導線Ｌ１〜Ｌ９がティースＴに反時計回りに半周巻回されて形成される。また、導線Ｌ６、Ｌ９では第１巻部８２がティースＴ３に反時計回りに１周巻回されて形成される。
【００６２】
図１５〜図１７に示すように、Ｕ相群９０ＵのコイルＣ１、Ｃ４を構成する導線Ｌ１、Ｌ４は第１引出線８４ａがティースＴ７とティースＴ８との間のスロット７３を通ってティースＴ８の下面側に延びる。
【００６３】
また、Ｕ相群９０ＵのコイルＣ７を構成する導線Ｌ７は第１引出線８４ａがティースＴ７とティースＴ８との間のスロット７３を通ってティースＴ７の下面側に延びる。その後、導線Ｌ７はティースＴ７に複数回巻回されてコイルＣ７を形成した後、ティースＴ８の下面側に延びる。
【００６４】
また、導線Ｌ１、Ｌ４、Ｌ７の第２引出線８４ｂはティースＴ６の下面側からティースＴ６とティースＴ７との間のスロット７３を通って軸方向上側に延びる。
【００６５】
また、第１引出線８４ａと第２引出線８４ｂとの間に配される導線Ｌ１、Ｌ４、Ｌ７は全て周方向の遠い方を通る。これにより、Ｕ相群９０Ｕにおいて、導線Ｌ１、Ｌ４の第１渡り線８３ａ及び第２渡り線８３ｂと、導線Ｌ７の第２渡り線８３ｂは全て第１接続部７４Ｕから第２接続部７５Ｕに向かって上面視時計回り方向Ｘ１に延びる。従って、第１渡り線８３ａ又は第２渡り線８３ｂで発生する磁界によってコイルＣ１、Ｃ４、Ｃ７のインダクタンスが変化することを低減することができる。従って、ロータ６０の回転ムラを抑制することができる。
【００６６】
図１８〜図２０に示すように、Ｖ相群９０ＶのコイルＣ２、Ｃ８を構成する導線Ｌ２、Ｌ８は第１引出線８４ａがティースＴ５とティースＴ６との間のスロット７３を通ってティースＴ６の下面側に延びる。
【００６７】
また、Ｖ相群９０ＶのコイルＣ５を構成する導線Ｌ５は第１引出線８４ａがティースＴ５とティースＴ６との間のスロット７３を通ってティースＴ５の下面側に延びる。その後、導線Ｌ５はティースＴ５に複数回巻回されてコイルＣ５を形成した後、ティースＴ６の下面側に延びる。
【００６８】
また、導線Ｌ２、Ｌ５、Ｌ８の第２引出線８４ｂはティースＴ４の下面側からティースＴ４とティースＴ５との間のスロット７３を通って軸方向上側に延びる。
【００６９】
また、第１引出線８４ａと第２引出線８４ｂとの間に配される導線Ｌ２、Ｌ５、Ｌ８は全て周方向の遠い方を通る。これにより、Ｖ相群９０Ｖにおいて、導線Ｌ２、Ｌ８の第１渡り線８３ａ及び第２渡り線８３ｂと、導線Ｌ５の第２渡り線８３ｂは全て第１接続部７４Ｖから第２接続部７５Ｖに向かって上面視時計回り方向Ｘ１に延びる。従って、第１渡り線８３ａ又は第２渡り線８３ｂで発生する磁界によってコイルＣ２、Ｃ５、Ｃ８のインダクタンスが変化することを低減することができる。従って、ロータ６０の回転ムラを抑制することができる。
【００７０】
図２１〜図２３に示すように、Ｗ相群９０ＷのコイルＣ３を構成する導線Ｌ３は第１引出線８４ａがティースＴ３とティースＴ４との間のスロット７３を通ってティースＴ３の下面側に延びる。その後、導線Ｌ３はティースＴ３に複数回巻回されてコイルＣ３を形成した後、ティースＴ４の下面側に延びる。
【００７１】
また、Ｗ相群９０ＷのコイルＣ６、Ｃ９を構成する導線Ｌ６、Ｌ９は第１引出線８４ａがティースＴ３とティースＴ４との間のスロット７３を通ってティースＴ３の下面側に延びる。その後、導線Ｌ３はティースＴ３に１周巻回された後、ティースＴ４の下面側に延びる。
【００７２】
また、導線Ｌ３、Ｌ６の第２引出線８４ｂはティースＴ８の下面側からティースＴ８とティースＴ８との間のスロット７３を通って軸方向上側に延びる。
【００７３】
また、導線Ｌ９の第２引出線８４ｂはティースＴ９に複数回巻回されてコイルＣ９を形成した後、ティースＴ９の下面側からティースＴ８とティースＴ９との間のスロット７３を通って軸方向上側に延びる。
【００７４】
また、第１引出線８４ａと第２引出線８４ｂとの間に配される導線Ｌ３、Ｌ６、Ｌ９は全て周方向の遠い方を通る。これにより、Ｗ相群９０Ｗにおいて、導線Ｌ３の第２渡り線８３ｂと、導線Ｌ６の第１渡り線８３ａ及び第２渡り線８３ｂと、導線Ｌ９の第１渡り線８３ａは全て第１接続部７４Ｖから第２接続部７５Ｖに向かって上面視時計回り方向Ｘ１に延びる。従って、第１渡り線８３ａ又は第２渡り線８３ｂで発生する磁界によってコイルＣ３、Ｃ６、Ｃ９のインダクタンスが変化することを低減することができる。従って、ロータ６０の回転ムラを抑制することができる。
【産業上の利用可能性】
【００７５】
本発明によると、ＯＡ機器、医療機器、家庭用電気製品、または輸送機器等に搭載される。送風機に利用することができる。
【符号の説明】
【００７６】
１・・・送風機、２・・・筐体、１０・・・インペラ、１１・・・カップ部、１１ａ・・・挿通孔、１２・・・羽根、２１・・・底壁、２２・・・周壁、２２ａ・・・吹出口、５０・・・モータ、５０ａ・・・軸部、５１・・・実装基板、６０・・・ロータ、６１・・・シャフト、６２・・・ロータホルダ、７０・・・ステータ、７１・・・コアバック、７２・・・インシュレータ、７３・・・スロット、７４Ｕ、７４Ｖ、７４Ｗ・・・第１接続部、７５Ｕ、７５Ｖ、７５Ｗ・・・第２接続部、７６・・・端子ピン、８２・・・第１巻部、８３ａ・・・第１渡り線、８３ｂ・・・第２渡り線、８４ａ・・・第１引出線、８４ｂ・・・第２引出線、９０Ｕ・・・Ｕ相群、９０Ｖ・・・Ｖ相群、９０Ｗ・・・Ｗ相群、Ｃ・・・コイル、Ｃ１〜Ｃ９・・・コイル、Ｊ・・・中心軸、Ｌ・・・導線、Ｌ１〜Ｌ９・・・導線、Ｔ・・・ティース、Ｔ１〜Ｔ９・・・ティース、Ｘ１・・・上面視時計回り方向、Ｘ２・・・上面視反時計回り方向
【図１】
2019115165.tif 000003
【図２】
2019115165.tif 000004
【図３】
2019115165.tif 000005
【図４】
2019115165.tif 000006
【図５】
2019115165.tif 000007
【図６】
2019115165.tif 000008
【図７】
2019115165.tif 000009
【図８】
2019115165.tif 000010
【図９】
2019115165.tif 000011
【図１０】
2019115165.tif 000012
【図１１】
2019115165.tif 000013
【図１２】
2019115165.tif 000014
【図１３】
2019115165.tif 000015
【図１４】
2019115165.tif 000016
【図１５】
2019115165.tif 000017
【図１６】
2019115165.tif 000018
【図１７】
2019115165.tif 000019
【図１８】
2019115165.tif 000020
【図１９】
2019115165.tif 000021
【図２０】
2019115165.tif 000022
【図２１】
2019115165.tif 000023
【図２２】
2019115165.tif 000024
【図２３】
2019115165.tif 000025